(57)【要約】【課題】  データ伝送を、使い勝手良く行うことが可能な伝送装置を提供する。【解決手段】  そこで本明細書では例えば、低遅延伝送と高品質伝送を使い分け、保存したいデータに関しては、高品質伝送で伝送し、さらに、サーバにて双方のデータを、その後の視聴をしやすくなるよう合成して配信されたデータを視聴する構成とする。  上記構成によれば例えば、ユーザにとって、通話状況を見やすく、使い勝手のよい伝送装置を提供できる。【選択図】  図１
2010166191.tif 000002
【特許請求の範囲】
【請求項１】
データ送信装置であって、
映像信号および音声信号を符号化する符号化部と、
前記符号化手段で符号化された映像信号または音声信号を記録媒体に記録する記録部と、
データの到達が保証されない第１の伝送方式と、データの到達が保証される第２の伝送方式と、を切り換えて送信する送信部と、
を備え、
前記送信部は、前記符号化部により符号化された映像信号または音声信号を前記記憶媒体を介さずに前記第１の伝送方式で送信し、前記記録手段により前記記録媒体から取得された前記符号化された映像信号または音声信号を前記第２の伝送方式で送信する
ことを特徴とするデータ送信装置。
【請求項２】
請求項１に記載のデータ送信装置であって、
前記送信部は、
他の装置から映像信号または音声信号を受信している場合は、前記符号化された映像信号または音声信号を前記第１の伝送方式で送信し、
前記他の装置から映像信号又は音声信号を受信していない場合は、前記記録媒体から取得された前記符号化された映像信号または音声信号を前記第２の伝送方式で送信する
ことを特徴とするデータ送信装置。
【請求項３】
請求項２に記載のデータ送信装置であって、
前記他の装置から映像信号または音声信号を受信している場合は、前記他の装置と通話中の場合であることを特徴とするデータ送信装置。
【請求項４】
請求項１に記載のデータ送信装置であって、
前記送信部は、
映像信号または音声信号を送信してくる第１の装置に対しては、前記符号化された映像信号または音声信号を前記第１の伝送方式で送信し、
映像信号又は音声信号を送信してこない第２の装置に対しては、前記記録媒体から取得された前記符号化された映像信号または音声信号を前記第２の伝送方式で送信する
ことを特徴とするデータ送信装置。
【請求項５】
請求項４に記載のデータ送信装置であって、
前記映像信号または音声信号を送信してくる第１の装置は、通話相手の装置であることを特徴とするデータ送信装置。
【請求項６】
請求項１〜５のいずれか１項に記載のデータ送信装置であって、
前記第１の伝送方式はRTP(Real-Time Transport Protocol)またはUDP(User Datagram Protocol)であり、前記第２の伝送方法は、TCP(Transmission Control Protocol)またはHTTP(HyperText Transfer Protocol)またはFTP(File Transfer Protocol)である
ことを特徴とするデータ送信装置。
【請求項７】
データ受信装置であって、
データの到達が保証されない第１の伝送方式と、データの到達が保証される第２の伝送方式と、を切り換えて受信する受信部と、
前記受信部で受信されたデータを記録媒体に記録する記録部と、
を備え、
他の装置へ映像信号または音声信号を送信している場合は、前記受信部が前記符号化された映像信号または音声信号を前記第１の伝送方式で受信し、
前記他の装置へ映像信号又は音声信号を送信していない場合は、前記受信部が前記符号化された映像信号または音声信号を前記第２の伝送方式で受信し、前記記憶部が受信された前記符号化された映像信号または音声信号を前記記録媒体に記憶する
ことを特徴とするデータ受信装置。
【請求項８】
請求項７に記載のデータ受信装置であって、
符号化された映像信号または音声信号をデコードするデコード部を備え、
前記デコード部は、前記第１の伝送方式で受信された前記符号化された映像信号または音声信号を前記記憶媒体を介さずにデコードして出力し、前記記録媒体に記憶された前記第２の伝送方式で受信された映像信号または音声信号をデコードして出力する
ことを特徴とする受信装置。
【請求項９】
請求項８に記載のデータ受信装置であって、
前記他の装置へ映像信号または音声信号を送信している場合は、前記他の装置と通話中の場合であることを特徴とするデータ受信装置。
【請求項１０】
請求項８に記載のデータ受信装置であって、
前記受信部は、自データ受信装置から送信された符号化された映像信号または音声信号と、前記他の装置から送信された符号化された映像信号又は音声信号と、が一つのストリームに合成された符号化された映像信号および音声信号を受信し、
前記デコード部は、前記ストリームから所定の符号化された映像信号および音声信号を選択してデコードする
ことを特徴とするデータ受信装置。
【請求項１１】
請求項９に記載のデータ受信装置であって、
自装置、他装置、映像、音声のうちの少なくとも１つの選択を受け付ける入力部を備え、
前記デコード部は、選択された装置の選択された映像または音声に対応する映像信号または音声信号をデコードする
ことを特徴とするデータ受信装置。
【請求項１２】
請求項７〜１１のいずれか１項に記載のデータ受信装置であって、
前記第１の伝送方式はRTP(Real-Time Transport Protocol)またはUDP(User Datagram Protocol)であり、前記第２の伝送方法は、TCP(Transmission Control Protocol)またはHTTP(HyperText Transfer Protocol)またはFTP(File Transfer Protocol)である
ことを特徴とするデータ受信装置。
【請求項１３】
データ送信方法であって、
映像信号および音声信号を符号化し、
前記符号化された映像信号または音声信号を記録媒体に記録し、
前記記憶媒体に記憶されていない前記符号化された映像信号または音声信号は、データの到達が保証されない第１の伝送方式で送信し、
前記記録媒体から取得された前記符号化された映像信号または音声信号は、データの到達が保証される第２の伝送方式で送信する
ことを特徴とするデータ送信方法。
【請求項１４】
請求項１３に記載のデータ送信方法であって、
他の装置から映像信号または音声信号を受信している場合は、前記符号化された映像信号または音声信号を前記第１の伝送方式で送信し、
前記他の装置から映像信号又は音声信号を受信していない場合は、前記記録媒体から取得された前記符号化された映像信号または音声信号を前記第２の伝送方式で送信する
ことを特徴とするデータ送信方法。
【請求項１５】
請求項１４に記載のデータ送信方法であって、
前記他の装置から映像信号または音声信号を受信している場合は、前記他の装置と通話中の場合であることを特徴とするデータ送信方法。
【請求項１６】
請求項１３に記載のデータ送信方法であって、
映像信号または音声信号を送信してくる第１の装置に対しては、前記符号化された映像信号または音声信号を前記第１の伝送方式で送信し、
映像信号又は音声信号を送信してこない第２の装置に対しては、前記記録媒体から取得された前記符号化された映像信号または音声信号を前記第２の伝送方式で送信する
ことを特徴とするデータ送信方法。
【請求項１７】
請求項１６に記載のデータ送信方法であって、
前記映像信号または音声信号を送信してくる第１の装置は、通話相手の装置であることを特徴とするデータ送信方法。
【請求項１８】
請求項１３〜１７のいずれか１項に記載のデータ送信方法であって、
前記第１の伝送方式はRTP(Real-Time Transport Protocol)またはUDP(User Datagram Protocol)であり、前記第２の伝送方法は、TCP(Transmission Control Protocol)またはHTTP(HyperText Transfer Protocol)またはFTP(File Transfer Protocol)である
ことを特徴とするデータ送信方法。
【請求項１９】
データ受信方法であって、
他の装置へ映像信号または音声信号を送信している場合は、符号化された映像信号または音声信号をデータの到達が保証されない第１の伝送方式で受信し、
前記他の装置へ映像信号又は音声信号を送信していない場合は、前記符号化された映像信号または音声信号をデータの到達が保証される第２の伝送方式で受信し、受信された前記符号化された映像信号または音声信号を記録媒体に記憶する
ことを特徴とするデータ受信方法。
【請求項２０】
請求項１９に記載のデータ受信方法であって、
前記第１の伝送方式で受信された前記符号化された映像信号または音声信号は、前記記憶媒体を介さずにデコードして出力し、前記第２の伝送方式で受信された映像信号または音声信号は、前記記録媒体から取得してデコードして出力する
ことを特徴とする受信方法。
【請求項２１】
請求項２０に記載のデータ受信方法であって、
前記他の装置へ映像信号または音声信号を送信している場合は、前記他の装置と通話中の場合であることを特徴とするデータ受信方法。
【請求項２２】
請求項２０に記載のデータ受信方法であって、
自データ受信装置から送信された符号化された映像信号または音声信号と、前記他の装置から送信された符号化された映像信号又は音声信号と、が一つのストリームに合成された符号化された映像信号および音声信号を受信し、
前記ストリームから所定の符号化された映像信号および音声信号を選択してデコードする
ことを特徴とするデータ受信方法。
【請求項２３】
請求項２１に記載のデータ受信方法であって、
自装置、他装置、映像、音声のうちの少なくとも１つの選択を受け付け、
選択された装置の選択された映像または音声に対応する映像信号または音声信号をデコードする
ことを特徴とするデータ受信方法。
【請求項２４】
請求項１９〜２３のいずれか１項に記載のデータ受信方法であって、
前記第１の伝送方式はRTP(Real-Time Transport Protocol)またはUDP(User Datagram Protocol)であり、前記第２の伝送方法は、TCP(Transmission Control Protocol)またはHTTP(HyperText Transfer Protocol)またはFTP(File Transfer Protocol)である
ことを特徴とするデータ受信方法。
【発明の詳細な説明】
【技術分野】
【０００１】
画像、音声データを格納し伝送する装置に関する。
【背景技術】
【０００２】
上記技術分野に関し、ディジタル放送の普及により、テレビ、レコーダ機器に加え、コンピュータネットワークの普及に伴い、たとえば特許文献１には通信機能を持ったテレビジョンシステムが開発されている。今後、更に高度な映像音声を含む通信機能を持ったテレビジョンシステムが普及するものと思われる。
【０００３】
【特許文献１】特開平７−３０８７２号公報
【発明の開示】
【発明が解決しようとする課題】
【０００４】
しかし、特許文献１は、会話を保存し、後で視聴することについては考慮がされていない。このため例えば、通信中の会話を保存し、後で視聴しようとした場合、適切な再生が困難であり、ユーザにとって使い勝手が十分ではないという課題があった。
【課題を解決するための手段】
【０００５】
そこで本明細書では例えば、低遅延伝送と高品質伝送を使い分け、保存したいデータに関しては、高品質伝送で伝送する。また、サーバにて双方のデータを、その後の視聴をしやすくなるよう合成して配信されたデータを視聴する構成とする。
【発明の効果】
【０００６】
上記手段によれば、低遅延で高品質な、ユーザにとって使い勝手のよいデータ伝送装置を提供できる。
【発明を実施するための最良の形態】
【０００７】
以下、データ伝送装置の実施形態について説明する。
【実施例１】
【０００８】
図１はデータ伝送装置を含むビデオデータ伝送システムの形態の一例である。１はデータ伝送装置であり、データ格納部である記録媒体１２１を内蔵している。２は別のデータ伝送装置であり、記録媒体２２１を内蔵している。データ伝送装置１と２は、互いにデータを送受信するため、データ送信装置にもデータ受信装置にもなる場合がある。
【０００９】
３はデータセンタであり、データ伝送装置１、あるいはデータ伝送装置２で撮影した画像や音声データを格納しておけるサーバである。データセンタ３は、例えばインターネットを介して宅外に設けられ、複数のユーザが利用できる。３１は、ＨＤＤ（Ｈａｒｄ  Ｄｉｓｋ  Ｄｒｉｖｅ）などのデータ格納部であり、１２１、２２１のデータ格納部に比べ、大容量なものが使用される。
【００１０】
データ格納部である記憶媒体３１，１２１，２２１は、ＨＤＤなどの磁気記憶媒体に限られない。ＤＶＤやＢｌｕ−ｒａｙ  Ｄｉｓｃ  ｄｒｉｖｅなどの光記憶媒体でもよい。フラッシュメモリやＳＳＤ（Ｓｏｌｉｄ  Ｓｔａｔｅ  Ｄｒｉｖｅ）などの半導体メモリでもよい。
データ伝送装置１、データ伝送装置２、およびデータセンタ３は、ネットワーク４を介して接続されている。
【００１１】
図１９はデータセンタのブロック図の一例である。３２２はネットワークを介して他の装置と接続するネットワーク送受信部である。３１はデータ格納部である。３２４はサーバ３を制御する制御部である。
【００１２】
図２は、データ伝送装置１あるいはデータ伝送装置２のブロック図の一例である。１１はカメラ部、１２はテレビ部である。カメラ部１１は、映像および音声を取り込む撮影部１１１と、取り込んだ映像、音声を符号化するエンコード部１１２で構成される。テレビ部１２の構成は次の通りである。１２１は前述のＨＤＤなどで構成され、エンコード部１１２でエンコードされたデータおよびそのデータに付随する関連データを格納する記録媒体である。１２２は本装置外部とネットワークを介して接続するネットワーク送受信部である。１２４はカメラ部１１とテレビ部１２を制御する制御部である。１２５はユーザからの指令入力を制御部に伝える入力部である。１２７は符号化された映像、および音声をデコードするデコード部である。１２８はデコード部でデコードされた映像、および音声を、表示、出力する表示出力部である。
【００１３】
ネットワーク送受信部１２２は、データの到達が保証されず信頼性はないがリアルタイム性のある伝送モード（以降、リアルタイム伝送モードと呼ぶこともある）と、データの到達が保証され信頼性はあるがリアルタイム性のない伝送モード（以降、信頼性のある伝送モードと呼ぶこともある）に動作を切り換え可能である。
【００１４】
ここで、データの到達が保証されず信頼性はないがリアルタイム性のある伝送モードには、例えば、ＵＤＰ（Ｕｓｅｒ  Ｄａｔａｇｒａｍ  Ｐｒｏｔｏｃｏｌ）、およびＲＴＰ（Ｒｅａｌ−Ｔｉｍｅ  Ｔｒａｎｓｐｏｒｔ  Ｐｒｏｔｏｃｏｌ）が用いられる。この方式では、送信したデータが相手に届いたかどうかを確認しないので、伝送パケットが失われて相手に届かない場合があり、映像や音声が途切れることがあるが、反面、データの送信は継続するので遅延が少なく、リアルタイム性が維持できる。
【００１５】
例えば、ＲＴＰでは、ネットワークを経由して転送されると、パケットの喪失や、配送の遅れが起こる。しかし、映像や音声のデータは、データの一部が欠けていても再生が可能である。データの受信側では、喪失や、配送の遅れたパケットは無視し、受信側が期待する時間に到着したパケットだけを利用してデータの再生を行う。受信側は、受信したパケットについて、受信確認応答（ＡＣＫｎｏｗｌｅｄｇｅｍｅｎｔ）を逐一送ることはしない。
【００１６】
また、データの到達が保証され信頼性はあるがリアルタイム性のない伝送モードには、例えば、ＴＣＰ（Ｔｒａｎｓｍｉｓｓｉｏｎ  Ｃｏｎｔｒｏｌ  Ｐｒｏｔｏｃｏｌ）、およびＨＴＴＰ（ＨｙｐｅｒＴｅｘｔ  Ｔｒａｎｓｆｅｒ  Ｐｒｏｔｏｃｏｌ）またはＦＴＰ（Ｆｉｌｅ  Ｔｒａｎｓｆｅｒ  Ｐｒｏｔｏｃｏｌ）が用いられる。この方式では、送信したデータが相手に届いたかどうかを確認し、伝送パケットが失われて相手に届かなかった場合は、再度送信処理を行うので、その間、映像や音声が停止してしまうことあるが、データの信頼性は確保される。
【００１７】
例えば、ＴＣＰでは、パケットを１つ受け取るごとに受信確認応答（ＡＣＫ）を送信側に送り返す。またいくつかのパケットをまとめて送り、受信確認応答もまとめて１回で済ませることで効率が低下しないようにすることも可能である。
【００１８】
データ送信時には、撮影部１１１で取り込まれた映像、音声を、エンコード部１１２が符号化する。ネットワーク送受信部１２２が、データの到達が保証されず信頼性はないがリアルタイム性のある、リアルタイム伝送モードで、相手側のデータ伝送装置２に送信する。また、記録媒体１２１は、エンコード部１１２で符号化されたデータを記録し、ネットワーク送受信部１２２が、データの到達が保証され信頼性はあるがリアルタイム性のない、信頼性のある伝送モードで、記録したデータをデータセンタ３に送信する。
【００１９】
また、データ受信時には、相手側のデータ伝送装置２から送信されたデータを、ネットワーク送受信部１２２が、データの到達が保証されず信頼性はないがリアルタイム性のある、リアルタイム伝送モードで受信する。受信されたリアルタイムなデータを、デコード部が映像、および音声にデコードし、表示出力部１２８が表示、出力する。
【００２０】
さらに、記録媒体１２１にネットワーク経由で受信したデータを記録する場合には、ネットワーク送受信部１２２が、データの到達が保証され信頼性はあるがリアルタイム性のない、信頼性のある伝送モードでデータを受信し、受信された信頼性あるデータが記録媒体１２１に記録される。
【００２１】
送信機であるデータ伝送装置のネットワーク受信部１２２は、受信機であるデータ伝送装置のネットワーク受信部１２２とＲＴＰまたはＴＣＰのコネクションを張ることができる。また、データ伝送装置は送信機から受信機へ、受信機から送信機へ、のいずれのからでもコネクションを張ることができる。
【００２２】
本実施例では、自分および相手のエンコードデータは、リアルタイムに送受信され、また、記録されたエンコードデータは、高品質に送信される。会話を保存し、後で視聴する場合は、そのデータは高品質に保存されているため、ユーザにとって使い勝手の良いコミュニケーションを提供できる。
【００２３】
本実施例では、データ伝送装置１とデータ伝送装置２とが通話を行い、記録されたエンコードデータはデータ伝送装置１からデータ伝送装置２に送信するか、データ伝送装置２からデータ伝送装置に送信することができる。また、記録されたエンコードデータは、データセンタ３に送信することもできる。
【００２４】
図３は、図２のデータ伝送装置１が、ネットワークを介して、別のデータ伝送装置２、およびデータセンタ３と接続し、相手のデータ伝送装置２に対し、通話を開始した場合の動作フローの一例を示した図である。
【００２５】
通話開始後に、入力部１２５がユーザから通話記録しない旨の指令を受け付けた場合は（ステップ３０１：Ｎｏ）、ネットワーク送受信部１２２は、通話記録のコマンドが受信されているかどうかを判定する（ステップ３０２）。通話記録のコマンドが受信されていない場合は、リアルタイムなデータ送受信が行われ（ステップ３０３）、その後、受信部１２５がユーザの通話終了の指令を受け付けると通話終了になる。
【００２６】
入力部１２５がユーザから通話を記録する旨の指令を受け付けた場合には（ステップ３０１：Ｙｅｓ）、ネットワーク送受信部１２２が相手のデータ伝送装置２に対し、通話記録の開始をさせるコマンドを送信する（ステップ３０４）。その後、エンコード部１１２がエンコードしたデータを、制御部１２４が記録媒体１２１に記録する。
【００２７】
この際、リアルタイムなデータ送受信も並行して行われている（ステップ３０３）。制御部１２４はデータセンタ３との認証処理を行い（ステップ３０６）、データ伝送装置１が正しく契約されている機器であることが認証されると、記憶媒体１２１に記録されているデータをネットワーク送受信部１２２がデータセンタ３に前述の信頼性ある送信モードでアップロードする。
【００２８】
アップロードのタイミングは、いつでもよいが、ネットワークの伝送帯域が広い場合には、通話データ送受信処理３０３と、記録データ送信処理３０７を同時に並行して行ってもよいし、ネットワークの伝送帯域が狭い場合には、通話データ送受信処理３０３を行い通話終了した後に、記録データ送信処理３０７を行ってもよい。
【００２９】
図４は、通話時のデータの流れの一例を示す図である。
【００３０】
４０１はリアルタイム伝送モードでデータ伝送装置１から送信された通話データである。４０２は、逆に、データ伝送装置２から送信された通話データであり、こちらもリアルタイム処理で送信される。４０３は、記録媒体１２１に記録されたデータを信頼性ある伝送モードでデータ伝送装置１から送信された通話データであり、４０４は、記録媒体２２１に記録されたデータを信頼性ある伝送モードで、データ伝送装置２から送信された通話データである。これらの通話データ４０３、および４０４は、どちらもデータセンタ３の記録媒体３１に格納される。
【００３１】
従って、データセンタ３の記録媒体３１に記録される通話データは信頼性のある伝送モードで送られた高品質なデータになる。
【００３２】
図５は、データセンタ３が、ネットワークを介して、データ伝送装置１、およびデータ伝送装置２と接続し、それぞれの伝送装置で記録された通話データを受信する場合の動作フローの一例を示した図である。
【００３３】
図３のデータ伝送装置１における認証処理３０６により、認証要求されたデータセンタ３は、制御部３２４が、データ伝送装置１との認証処理を行い、正しく登録されている装置かどうかを確認する（ステップ５０１）。認証が成功すると、図３における記録データ送信処理３０７により信頼性ある伝送モードで送信されたデータを、高品質に受信する（ステップ５０３）。制御部３２４は受信したデータを記録媒体３１に記録する（ステップ５０４）。
【００３４】
データ伝送装置２についても、同様の処理を行い、制御部３２４がデータ伝送装置２との認証処理を行い、正しく登録されている装置かどうかを確認し（ステップ５０５）、データ伝送装置２から高品質に送信されたデータを信頼性ある伝送モードで受信し（ステップ５０７）、制御部３２４が受信したデータを記録媒体３１に記録する（ステップ５０８）。
【００３５】
次に、制御部３２４が、記録媒体３１に記録された二つのデータを合成し（ステップ５０９）、合成結果を再度記録媒体３１に記録する（ステップ５１０）。合成の方法としては、例えば、二つのデータをいわゆるマルチアングルの一つのストリームに合成する方法がある。
※  マルチアングルがどういうものかの画面例を追記。
【００３６】
マルチアングルとは、同時に複数のカメラで映像を撮影し、複数の視点からの映像を一つのストリームとして記録し、再生の際に、ユーザが、所望のカメラの映像に切り換えて視聴できるものである。
【００３７】
図６に、二つのデータを一つのストリームに合成する一例を示す。６１から６３はトランスポートパケットである。ここで、一連のデータをプログラムと呼ぶ。通常、トランスポートパケットは、映像信号、音声信号、およびプログラムに関する情報等が付加され、複数チャンネルのプログラムを時分割多重して伝送可能である。
【００３８】
図６（ａ）は、データ伝送装置１から送信され受信し、記録したデータおよびそれに関連した情報を伝送するトランスポートパケット列を示した図である。Ｐ０−１は、図６（ａ）の伝送信号全体に関する情報であり、プログラムにどのパケット識別番号が割り当てられているかを格納するプログラムアソシエーションテーブル等のパケットが時分割多重されて伝送される。Ｐ１は、プログラムに関する情報であり、映像パケット、音声パケット等にどのパケット識別番号が割り当てられているかを認識するためのトランスポートストリームプログラムマップセクションが格納されるプログラムマップテーブル等のパケットが時分割多重されて伝送される。
【００３９】
通常、プログラムアソシエーションテーブルのパケット識別番号は決まった値、例えば０が割り当てられている。Ｖ１、Ａ１は、それぞれ、映像パケット、音声パケットである。また、ＣＲは、ディジタル圧縮データの復号時の同期をとるためのプログラムクロックリファレンス情報である。
【００４０】
図６（ｂ）は、データ伝送装置２から送信され受信し、記録したデータおよびそれに関連した情報を伝送するトランスポートパケット列を示した図である。図６（ａ）同様、Ｖ２、Ａ２の映像パケット、音声パケットが格納されている。
【００４１】
図６（ｃ）は、同図（ａ）および（ｂ）の二つのトランスポートストリームを多重化した例であり、Ｖ１、Ｖ２はデータ伝送装置１およびデータ伝送装置２それぞれのトランスポートストリームの映像信号、Ａ１、Ａ２は同じくそれぞれのトランスポートストリームの音声信号のパケットである。Ｐ０′はプログラムに関する情報であり、合成後のそれぞれのパケットは、異なるパケット識別番号が割り当てられており、そのパケット識別番号が格納されている。
【００４２】
Ｐ３は、二つのプログラムの映像パケット、音声パケット等にどのパケット識別番号が割り当てられているかを認識するためのトランスポートストリームプログラムマップセクションが格納されるプログラムマップテーブル等のパケットが時分割多重されて伝送される。これにより合成したパケットの内容を識別することができる。
【００４３】
デコードの際には、まずプログラムアソシエーションテーブルによってプログラムマップテーブルにどのパケット識別番号が割り当てられているかを認識し、次に、プログラムマップテーブルによって映像パケット、音声パケット等にどのパケット識別番号が割り当てられているかを認識する。そして、映像パケットおよび音声パケットを抽出する。
【００４４】
例えば、映像パケットＶ１のパケット識別番号を１０１、音声パケットＡ１のパケット識別番号を２０１、映像パケットＶ２のパケット識別番号を１０２、音声パケットＡ２のパケット識別番号を２０２、また、プログラムマップテーブルのパケットＰ３のパケット識別番号を１００とする。まず、パケット識別番号０のパケットを選択し参照して、プログラムマップテーブルを格納しているパケットのパケット識別番号である１００を得る。
【００４５】
そして、今度はパケット識別番号１００のパケットを選択し参照して、そこに格納されている、映像パケット、音声パケットのパケット識別番号を得る。この場合、データ伝送装置１から伝送され記録したトランスポートパケットの映像パケットが１０１、音声パケットが２０１、データ伝送装置２から伝送され記録したトランスポートパケットの映像パケットが１０２、音声パケットが２０２であることが認識できる。この後は、デコードして視聴したい映像、音声パケットを選択してデコードすればよい。
【００４６】
その他、合成の方法として、それぞれの通話データを一旦デコードし、その映像データを合成して、再度エンコードする方法もある。
【００４７】
また、ネットワークの帯域が十分広い場合には、データ伝送装置１が、２つの通話データをそれぞれデータセンタ３から受信し、それぞれデコードして一つの画面に出力する方法もある。
【００４８】
図７は、ネットワークを介して、データ伝送装置１、データ伝送装置２、およびデータセンタ３が接続し、データセンタ３に格納された通話データをそれぞれの伝送装置で受信する場合のデータの流れを示した図である。７０１、７０２は、データセンタ３で合成された通話データである。前述のように、通話データ７０１、７０２は、双方の通話データが合成されたデータであり、通話の後で視聴する場合に、必要なデータを選択して視聴できるので、使い勝手がよい。
【００４９】
また、データセンタ３は、データ伝送装置１または２の要求により、データ伝送装置がそれが持つ記録媒体に記録したい場合に、前述のように、信頼性のある伝送モードで送信されたデータによりデータセンタに格納された高品質な通話データを、データセンタからデータ伝送装置に送信する。データ伝送装置は、それを信頼性のある伝送モードで高品質に受信することで、データ伝送装置の記録媒体に正しい通話データが格納できる。
【実施例２】
【００５０】
（ディジタル放送受信装置）
図８はデータ伝送装置の他の一実施形態を示すブロック図の一例である。
【００５１】
図８において、１はデータ伝送装置の一実施例であるディジタル放送受信装置たるディジタルテレビ、１１１１は撮像回路、１１１２は、マイクロフォン、Ａ／Ｄコンバータを含む音声入力処理回路、１１２１は映像信号圧縮回路、１１２２は音声信号圧縮回路、１１２３はシステムエンコーダ、１２６はバッファ制御回路、１２６１は記録用バッファ、１２６２は再生用バッファ、１２１１はディジタルテレビ１に固定し内蔵される例えばハードディスクで構成される内蔵記録媒体、１２１２はディジタルテレビ１に着脱可能な例えばハードディスクで構成される外付け記録媒体である。
【００５２】
１２７１はシステムデコーダ、１２７２は映像信号伸張回路、１２７３は音声信号伸張回路、１２８３は映像信号Ｄ／Ａコンバータ、１２８４は音声信号Ｄ／Ａコンバータ、１２８５は映像信号出力端子、１２８６は音声信号出力端子、１２２はネットワーク送受信回路、１２３はネットワーク接続端子、１２４は制御回路、１２８１はグラフィックス回路、１２８２は表示パネル、１２５はリモコン受信素子である。
【００５３】
また、１０６１は映像信号切り換えスイッチ、１０６２は音声信号切り換えスイッチ、１２６３は暗号回路、１２６４は復号回路、１４１はディジタル放送信号入力端子、１４２はディジタルチューナ、１３３はディジタル信号切り換えスイッチである。
【００５４】
撮像回路１１１１で撮像され、ディジタル信号に変換された映像信号は、映像信号圧縮回路１１２１に入力される。
【００５５】
映像信号圧縮回路１１２１は、例えば、映像圧縮符号化方式としてＩＳＯ／ＩＥＣ１３８１８−２（通称ＭＰＥＧ２Ｖｉｄｅｏ）ＭＰ＠ＭＬ（Ｍａｉｎ  Ｐｒｏｆｉｌｅ＠Ｍａｉｎ  Ｌｅｖｅｌ）規格に準拠した圧縮符号化データを生成する。その他、映像圧縮符号化方式としては、特に限定するものではなく、Ｈ．２６４・ＭＰＥＧ４／ＡＶＣ方式やＪＰＥＧ方式などでもよい。生成した圧縮符号化映像データは、システムエンコーダ１０９に入力される。
【００５６】
また、音声入力処理回路１１１２から入力された音声信号は所定のサンプリングレートによりアナログ／ディジタル変換が行われ、ディジタル信号に変換された音声信号は、音声信号圧縮回路１１２２に入力される。音声信号圧縮回路１１２２は、例えば、音声圧縮符号化方式としてＩＳＯ／ＩＥＣ１３８１８−１（通称ＭＰＥＧ２Ａｕｄｉｏ）規格に準拠した圧縮符号化データを生成する。生成した圧縮符号化音声データは、システムエンコーダ１１２３に入力される。音声圧縮符号化方式についても特に限定するものではない。
【００５７】
システムエンコーダ１１２３に入力された圧縮符号化映像データおよび圧縮符号化音声データは、それぞれパケット化、および多重化され、一本のシステムストリームに変換される。その後、バッファ制御回路１２６を介して記録用バッファ１２６１に入力される。システムストリームには、付加情報として、元映像のサイズ、縦横比、システムストリーム中の圧縮符号化映像データおよび圧縮符号化音声データのビットレート等が追加される。
【００５８】
システムストリームとは、前述の図６（ａ）に示したように、プログラムアソシエーションテーブルを格納したパケット、トランスポートストリームプログラムマップセクションを格納したパケット、映像パケット、および音声パケットを含む、一連のトランスポートパケット列である。映像パケットは、前述の映像信号圧縮回路１１２１で生成した圧縮符号化データ、および音声信号圧縮回路１１２２で生成した圧縮符号化音声データを、パケット化したものである。
【００５９】
通話の際には、バッファ制御回路１２６を介して、ネットワーク送受信回路１２２にシステムストリームが入力される。ネットワーク送受信回路１２２は、システムストリームを前述のリアルタイム伝送モードによりネットワーク接続端子１２３から送信する。
【００６０】
また、ユーザのリモコンからの指示により、通話を記録する場合は、記録用バッファ１２６１に蓄積された通話データであるシステムストリームが、バッファ制御回路１２６を介して記録媒体１２１１あるいは記録媒体１２１２に記録される。さらに、例えば、相手のデータ伝送装置２に対し、相手の映像、音声を記録媒体に格納する旨のコマンドを制御回路１２４からネットワーク送受信回路１２２を通じて送信する。
【００６１】
また、ネットワーク送受信回路１２２を介して映像、音声を記録媒体に格納する旨のコマンドを受信した場合には、記録用バッファ１２６１に蓄積された通話データであるシステムストリームが、バッファ制御回路１２６を介して記録媒体１２１１あるいは記録媒体１２１２に記録される。
【００６２】
ディジタル放送信号入力端子１４１からは、衛星、ケーブル等から放送されたディジタル放送信号データが入力される。入力された信号はディジタルチューナ１４２において復調、選局処理がなされシステムストリームとして、ディジタル信号切り換えスイッチ１３３を介して、記録媒体１２１１、あるいは記録媒体１２１２に記録される。
【００６３】
ここで、記録されるシステムストリームのコピー制限情報が世代コピー可の制限をもつ場合、暗号回路１２６３にてシステムストリームが暗号化され、記録媒体に記録される。暗号化は、記録バッファ１２６１に格納されているシステムストリームを暗号回路１２６３で暗号化し、再度記録バッファ１２６１に格納する。その暗号化されたシステムストリームをバッファ制御回路１２６を介して、記録媒体１２１１、１２１２に記録する。暗号化の際の鍵は、例えば、ディジタルテレビ１の持つ固有情報、記録媒体１２１１、１２１２の持つ固有情報、そのほか乱数などから生成される。
【００６４】
ここで、記録媒体１２１１、１２１２に記録されているシステムストリームの管理は、制御回路１２４で行われ、システムストリームリストとして管理されている。
【００６５】
制御回路１２４は、記録媒体１２１１，１２１２に記録されるシステムストリームがディジタル放送信号か否かを、ディジタル放送のシステムストリーム特有の情報を検出することで区別する。制御回路１２４はディジタル放送のシステムストリームを他のシステムストリームと区別し、システムストリームリストにて管理する。
【００６６】
ディジタル放送のシステムストリーム特有の情報としては、デジタル放送のネットワークを識別するネットワーク識別記述子、デジタル放送の放送事業者名、チャンネル名等のデジタル放送のサービスを識別するサービス識別記述子、デジタル放送の番組名、番組情報等のデジタル放送のイベントを識別するイベント識別記述子、デジタル放送のチャンネル番号を示す情報、デジタル放送の放送局のロゴを示す画像情報、コピー制御情報などがあげられる。
【００６７】
記録媒体１２１１あるいは１２１２から再生されるシステムストリームは、バッファ制御回路１２６を介して再生用バッファ１２６２に格納される。さらに、バッファ制御回路１２６を介してシステムデコーダ１２７１に入力される。システムデコーダ１２７１に入力されたシステムストリームは、圧縮符号化映像データ、および圧縮符号化音声データのパケットにそれぞれ分離される。分離された各々のパケットから取り出した圧縮符号化映像データは、映像信号伸張回路１２７２に入力される。また圧縮符号化音声データは、音声信号伸張回路１２７３に入力される。映像信号伸張回路１２７２で圧縮符号化映像データの伸張が施された後、グラフィックス回路１２８１にて付属映像情報が重畳され、表示パネル１２８２に出力される。また、映像信号が映像信号Ｄ／Ａコンバータ１２８３に、音声信号が音声信号Ｄ／Ａコンバータ１２８４に入力され、アナログ信号に変換され、映像信号出力端子１２８５、音声信号出力端子１２８６から出力される。
【００６８】
また、記録媒体１２１１、１２１２に格納されているシステムストリームが暗号化されている場合は、復号回路１２６４にて暗号が復号化される。記録媒体１２１１、１２１２から再生したシステムストリームは、バッファ制御回路１２６を介して一旦再生バッファ１２６２に格納される。その後、復号回路１２６４で復号化し、再度再生バッファ１２６２に格納される。その復号化されたシステムストリームをバッファ制御回路１２６を介して、システムデコーダ１２７１に供給する。復号化の際の鍵は、記録時同様、例えば、ディジタルテレビ１の持つ固有情報、記録媒体１２１１、１２１２の持つ固有情報、そのほか乱数などから生成され記録時の暗号化の際の鍵と同じ鍵が生成され用いられる。
【００６９】
この固有情報としては、例えば、不揮発メモリなどに格納されている固有情報を用いる。例えば、ディジタルテレビ１の製造番号、記録媒体１２１１、１２１２の製造番号、暗号復号のために割り当てられ格納された鍵情報などを用いる。暗号を復号する際には、例えば、これらの固有情報と、記録記録時に生成し記録媒体に記録した乱数を用いて、記録の際と同じ生成方法で生成する。これにより、暗号化の際の鍵と同じ鍵が得られ、これを復号化の際の鍵とすることで、システムストリームを復号することが可能になる。
【００７０】
なお、記録用バッファ１２６１、および再生用バッファ１２６２は、例えば半導体メモリで構成され、それぞれ別個の半導体チップで構成してもよいし、同一の半導体チップ上で、その記憶領域を分けて実現してもよい。
【００７１】
また、通話を記録したストリームは、同様に、記録媒体１２１１あるいは１２１２から再生され、バッファ制御回路１２６を介して再生用バッファ１２６２に格納される。さらに、バッファ制御回路１２６を介してネットワーク送受信回路１２２にシステムストリームが入力され、ネットワーク送受信回路１２２において、今度は信頼性のある伝送モードによりネットワーク接続端子１２３から送信される。
【００７２】
その他、記録媒体１２１１から記録媒体１２１２へ、あるいはその逆のダビング、移動も考えられる。
その方法として、一つの例は、記録媒体１２１１から再生したシステムストリームがバッファ制御回路１２６を介して再生用バッファ１２６２に格納され、復号回路１２７２で復号され再度再生用バッファ１２６２に格納されたシステムストリームが、バッファ制御回路１２６を介して、記録用バッファ１２６１に格納された後、暗号回路１２６３で暗号化され、再度記録用バッファ１２６１に格納された後、バッファ制御回路１２６を介して記録媒体１２１２に記録される方法があげられる。
【００７３】
また、別の方法として、記録媒体１２１１から再生されたシステムストリームを復号して、再生用バッファ１２６２からシステムデコーダ１２７１に、バッファ制御回路１２６により供給し、映像信号および音声信号を伸張した後、映像信号切り換えスイッチ１０６１、音声信号切り換えスイッチ１０６２により再度映像信号圧縮回路１１２１、音声信号圧縮回路１１２２にて圧縮符号化し、システムエンコーダ１１２３にて得られたシステムストリームをバッファ制御回路１２６により記録用バッファ１２６１に格納、暗号回路１２６３で暗号化の後、記録媒体１２１２に記録する方法もある。
【００７４】
この場合、映像信号圧縮回路１１２１、音声信号圧縮回路１１２２にて、記録媒体１２１１から再生したシステムストリームのビットレートより低いビットレートで圧縮符号化することにより、映像信号、音声信号の品質は劣化するが、記録媒体１２１２の記録領域を有効に確保できる。本実施例では、一度伸張した映像、音声信号を再度圧縮する方式を示したが、別途伸張圧縮を一度に行える、いわゆるトランスコーダを用いてもよい。あるいは、さらに映像伸張回路を追加することで、番組の視聴を妨げずに上記動作を行うことが可能になる。
【００７５】
次に、ネットワーク接続端子１２３からは、ネットワークを介して接続されるデータセンタ３から、前述の合成されたデータであるシステムストリームが入力される。
【００７６】
入力されたシステムストリームは、バッファ制御回路１２６を介して再生用バッファ１２６２に格納される。さらに、バッファ制御回路１２６を介してシステムデコーダ１２７１に入力される。システムデコーダ１２７１に入力されたシステムストリームは、圧縮符号化映像データ、および圧縮符号化音声データのパケットにそれぞれ分離される。分離された各々のパケットから取り出した圧縮符号化映像データは、映像信号伸張回路１２７２に入力される。また圧縮符号化音声データは、音声信号伸張回路１２７３に入力される。
【００７７】
この際、ユーザは、必要なデータ、例えば、相手の映像と音声、および自分の音声といった組み合わせを選択し、システムデコーダ１２７１にて選択されたパケットが映像信号伸張回路１２７２で圧縮符号化映像データの伸張が施された後、グラフィックス回路１２８１にて付属映像情報が重畳され、表示パネル１２８２に出力される。
【００７８】
図２０は、図８のデータ伝送装置において、必要なデータを選択してデコードする際の動作フローの一例を示した図である。
【００７９】
システムデコーダ１２７１は、入力されたシステムストリームから、パケット識別番号０のパケットからプログラムアソシエーションテーブルを抽出する（ステップ２００１）。そして、プログラムマップセクションを格納したパケットのパケット識別番号を得る  （ステップ２００２）。ここで、データ伝送装置１は、ユーザのリモコンからの指示により、例えば、「相手の映像＋双方の音声」など、どのストリームをデコードするかの情報を得る（ステップ２００３）。そして、ステップ２００２で得られたパケット識別番号から、入力されたユーザの選択結果に対応する各映像パケット、音声パケットを格納したパケット識別番号のパケットを抽出し（ステップ２００４）、デコードを開始する（ステップ２００５）。
【００８０】
また、映像信号が映像信号Ｄ／Ａコンバータ１２８３に、音声信号が音声信号Ｄ／Ａコンバータ１２８４に入力され、アナログ信号に変換され、映像信号出力端子１２８５、音声信号出力端子１２８６から出力される。また、再生中に、ユーザのリモコンからの操作により、システムデコーダ１２７１を制御して、再生したい映像と音声の組み合わせの選択を変更することも可能である。通話データの視聴のみを行う場合は、リアルタイム伝送モードで受信してもよいし、信頼性のある伝送モードで受信してもよい。
【００８１】
外部サーバからのデータをコピーする場合は、図示しないリモコンを用いてコピーしたいデータを選択すると、リモコン受信素子１２５から制御回路１２４により、指令が入力される。この指令に応じてネットワーク送受信回路１２２から、データセンタに対し、データ要求を出力する。データセンタから送信されたデータは、ネットワーク接続端子１２３、ネットワーク送受信回路１２２、バッファ制御回路１２６を介して記録バッファ１２６１に格納される。
【００８２】
あとは、前述と同様、記録媒体１２１１あるいは記録媒体１２１２にデータセンタから受信したデータであるシステムストリームが記録される。この場合は、信頼性のある伝送モードで通話データを受信することで、記録媒体１２１２に記録された通話データが高品質となり、後の視聴の際、エラーなく視聴できる。
【００８３】
なお、通話データの秘匿性を確保するために、例えば前述の認証の際に、データ伝送装置１とデータセンタ３の間で鍵を共有しておき、ネットワークに送受信する際、通話データであるシステムストリームを暗号回路１２６３において共有した鍵で暗号化し送信し、また、受信したシステムストリームを復号回路１２６４において共有した鍵で復号化してシステムデコーダ１２７１に供給することで実現可能である。
【００８４】
以上の説明では、ディジタルテレビ１に、図２におけるカメラ部１１を内蔵した構成となっているが、別筐体でもかまわない。その場合は、エンコードしたストリームを図示しないが、ＵＳＢ（Ｕｎｉｖｅｒｓａｌ  Ｓｅｒｉａｌ  Ｂｕｓ）などのディジタルインタフェースを用いて接続する方法がある。
【００８５】
以上のように、ユーザは、ディジタルテレビ１のリモコンを用いて、通話データの記録やデータセンタへのアップロード、データセンタからのデータのコピーを容易に行うことが可能である。
【実施例３】
【００８６】
（ディジタル放送受信装置）
図９は本発明によるデータ伝送装置の他の一実施形態を示すブロック図である。
【００８７】
図９において、１は本発明のデータ伝送装置の一実施例であるディジタル放送受信装置たるディジタルテレビである。図８の実施例に対し、映像信号伸張回路１２７４、音声信号伸張回路１２７５、音声混合回路１２８７が追加されたものである。
ネットワーク接続端子１２３からは、ネットワークを介して接続されるデータセンタ３から、前述の合成されたデータであるシステムストリームが入力される。
【００８８】
本実施例では、前述のデータセンタから、二つのシステムストリームすなわち自身の通話データと相手の通話データが、それぞれネットワークを介して入力される。入力された二つのシステムストリームは、それぞれバッファ制御回路１２６を介して再生用バッファ１２６２に格納される。さらに、バッファ制御回路１２６を介してシステムデコーダ１２７１に入力される。
【００８９】
システムデコーダ１２７１に入力されたシステムストリームは、圧縮符号化映像データ、および圧縮符号化音声データのパケットにそれぞれ分離され、各々のパケットから取り出した圧縮符号化映像データは、映像信号伸張回路１２７２、および映像信号伸張回路１２７４に、また圧縮符号化音声データは、音声信号伸張回路１２７３、および音声信号伸張回路１２７５に入力される。
【００９０】
ここで、システムデコーダ１２７１にて例えば、自分の映像と音声は、映像信号伸張回路１２７２および音声信号伸張回路１２７３に、また、相手の映像と音声は、映像信号伸張回路１２７４および音声信号伸張回路１２７５にパケットを分離して入力する。
【００９１】
必要なパケットの選択分離方法は、前述した方法と同様、パケット識別番号により行う。まず、プログラムアソシエーションテーブルが格納されているパケットから、プログラムマップテーブルを格納しているパケットの識別番号を得る。そして、そのプログラムマップテーブルを格納しているパケットから、自身の通話データ、および相手の通話データそれぞれの映像パケット、音声パケットのパケット識別番号を得る。
【００９２】
システムデコーダ１２７１にて選択されたパケットが映像信号伸張回路１２７２および映像信号伸張回路１２７４で圧縮符号化映像データの伸張が施された後、グラフィックス回路１２８１にて二つの映像信号と、付属映像情報が重畳され、表示パネル１２８２に出力される。また、音声信号伸張回路１２７３および音声信号伸張回路１２７５で圧縮符号化音声データの伸張が施された後、音声混合回路１２８７に入力され、二つの音声信号が混合されて、音声信号Ｄ／Ａコンバータ１２８４に入力され、アナログ信号に変換され、音声信号出力端子１２８６から出力される。
【００９３】
以上のように実施することで、二つの映像、音声を同時に視聴することが可能になり、通話データの視聴を使い勝手よく実現できる。
【００９４】
以上、ディジタル放送受信機の例で説明したが、それに限らず、携帯電話などの画面が小さい機器でも同様のことが実現できる。例えば、データセンタは、通話データの合成の際に、通話データの解像度を異ならせたものを用意しておくことで、データセンタ３から通話データを視聴しようとする機器によって、受信するストリームを解像度によって選べるので、使い勝手がよい。
【実施例４】
【００９５】
（表示画面）
次に、データ伝送装置１の表示出力部１２８についての実施例を示す。
図１０は、データ伝送装置１の表示部１２８に表示される画像の例である。ここでも、データ伝送装置１は、ディジタルテレビである場合の例について説明する。
【００９６】
通常の放送番組を視聴している画面において、相手側からの着信が合った場合、図１０に示す例のように、画面の一部に着信の旨を示す表示がなされる。この場合、誰からの着信であるかを表示してもよい。この状態から、例えばリモコンの「オフフック」ボタン、あるいは、画面上の着信ボタンの位置にカーソルを合わせて決定ボタンを押すと、図１１に示すように、相手側の映像、音声が表示され、通話が可能となる。
【００９７】
この場合、画面の一部に切断、記録のボタンを表示してもよい。また、例えば、リモコンの「記録」ボタン、あるいは、画面上の記録ボタンの位置にカーソルを合わせて決定ボタンを押すと、前述のように、自身の映像、音声が記録媒体１２１に記録される。その際、相手側のデータ伝送装置２にも、記録のコマンドが送信され、相手側のデータ伝送装置２でも、相手の映像、音声が、記録媒体２２１に記録される。
【００９８】
通話が終わり、ユーザが、リモコンの「オンフック」ボタン、あるいは、画面上の切断ボタンの位置にカーソルを合わせて決定ボタンを押すと、通常の放送番組視聴画面に戻る。
【００９９】
ここで、図１２は、記録した自身の映像、音声をデータセンタ３に通話後にアップロードしている場合の画面を示す図である。例えば、転送中は、放送番組視聴画面の下方に転送の進捗状況を表示する。表示中には、例えば、転送元と転送先、図形の点滅による転送の様、進捗度合いが表示される。前述のように、ネットワークの伝送帯域が十分広い場合には、通話と同時にデータセンタ３へのアップロードを行ってもよい。その場合は、アップロードの進捗状況を表示しなくてもよい。
【０１００】
ここで、例えばリモコンの「ディスクナビゲーション」ボタンを押すと、図１３に示す録画番組の一覧が表示される。画面左側のタブ「ＡＬＬ」「内蔵ＨＤＤ」「外付ＨＤＤ」を図示しないリモコンのカーソルボタンにより選択することで、選択したタブのデータ一覧が表示される。この例では、ディジタルテレビ１の記録媒体１２１１をユーザが選択して、内蔵ＨＤＤのデータの一覧が表示されている。なお、「外付ＨＤＤ」は、ディジタルテレビ１に記録媒体１２１２が装着された場合にタブとして表示される。「ＡＬＬ」は全てのタブのデータ一覧が表示される。
【０１０１】
ここで、上記と同様に、「データセンタ」のタブを選択すると、図１４に示すように、今度は、データセンタ３のデータ一覧が表示される。ここでユーザは、この場合、例えば、図示しないがリモコンのカーソルボタンを視聴したい映像に合わせて、「決定」ボタンを押すことで、図１５に示す再生の表示画像に遷移する。ここで再生したいデータを選択するとそのデータアイコンがハイライトされる。
【０１０２】
次に、再生したい内容を選択する。ここでは、「相手の映像＋双方の音声」が選択されているが、その他の組み合わせを選択することも可能である。これらは、「再生」を選択するとプルダウンメニューで複数の組み合わせを表示してそこから一つを選択することで可能である。
【０１０３】
ここでユーザが、リモコンの「決定」ボタンを押すと、データセンタ３から前述の合成されたデータがネットワークを経由して送信され、選択された組み合わせの映像および音声が出力される。
【０１０４】
また、ユーザは、データセンタ３から「内蔵ＨＤＤ」に通話データをダウンロードすることも可能である。
図１６は、「ダビング先」を選択してプルダウンメニューが表示されている画面の例である。ユーザは、この中からコピー先を選択する。
【０１０５】
図１７は、データセンタ３から内蔵ＨＤＤ２１１にダビングすなわちダウンロードしている途中に表示部１２８に表示される画面の例である。例えば、転送中は、放送番組視聴画面に切り替わり、その下方に転送の進捗状況を表示する。前述の図１１と同様、表示中には、転送元と転送先、図形の点滅による転送の様、進捗度合いが表示される。
【０１０６】
転送が終了した時点で、ユーザが、内蔵ＨＤＤの内容を確認するため、リモコンの「ディスクナビゲーション」ボタンを押すと、録画番組の一覧が表示され、図１８のように、「内蔵ＨＤＤ」のタブを選択すると、データセンタ３からダウンロードしたデータが追加されて表示される。
【０１０７】
このように、ユーザは、ディジタルテレビ１のリモコンを用いて、通話データのデータセンタからの視聴、内蔵ＨＤＤへのデータのコピーを、ディジタルテレビ１の画面から統一されたユーザインタフェースで容易に実行することができるため、使い勝手の良い装置を提供できる。
【図面の簡単な説明】
【０１０８】
【図１】データ伝送装置を含むビデオデータ伝送システムを示す図の一例である。
【図２】データ伝送装置の一実施例のブロック構成を示す図の一例である。
【図３】データ伝送装置がネットワークを介して別のデータ伝送装置、およびデータセンタと接続した場合の動作フローの一例を示す図である。
【図４】データ伝送装置の通話時のデータの流れの一例を示す図である。
【図５】データセンタがネットワークを介してデータ伝送装置と接続した場合の動作フローの一例を示す図である。
【図６】データセンタにおいて二つのデータを一つのストリームに合成する一例を示す図である。
【図７】データ伝送装置が、ネットワークを介して、データセンタ３と接続し、データセンタ３に格納された通話データを受信する場合のデータの流れの一例を示した図である。
【図８】データ伝送装置の他の一実施形態を示すブロック図の一例である。
【図９】データ伝送装置の他の一実施形態を示すブロック図の一例である。
【図１０】データ伝送装置１の表示部１２８に表示される画像の例を示す図である。
【図１１】データ伝送装置１の表示部１２８に表示される通話中の画像の例を示す図である。
【図１２】データ伝送装置がデータセンタに通話データをアップロードする際表示される画像の例を示す図である。
【図１３】データ伝送装置の表示部が内蔵ＨＤＤのデータ一覧を表示した例を示す図である。
【図１４】データ伝送装置の表示部がデータセンタのデータ一覧を表示した例を示す図である。
【図１５】データ伝送装置の表示部がデータセンタのデータ一覧を表示し、ユーザがその一つを選択した場合の例を示す図である。
【図１６】データ伝送装置の表示部がダビングの表示画面を表示した例を示す図である。
【図１７】データ伝送装置がデータセンタから通話データをダウンロードする際表示される画像の例を示す図である。
【図１８】データ伝送装置の表示部がダウンロード後の内蔵ＨＤＤのデータ一覧を表示した例を示す図である。
【図１９】データセンタの一実施例のブロック構成を示す図の一例である。
【図２０】データ伝送装置が必要なデータを選択してデコードする際の動作フローの一例を示す図である。
【符号の説明】
【０１０９】
１、２…データ伝送装置、３…データセンタ、４…ネットワーク、  １１…カメラ部、１２…テレビ部、１１１…撮像部、１１２…エンコード部、１２１…記録媒体、２２１…記録媒体、３１…データ格納部、２２…ネットワーク接続部、２３…サーバ検出部、２４…データ転送要求部、２５…データ転送制御部、２６…サーバリスト取得部、２７…ローカルデータリスト管理部、２８…表示部、２９…選択部、３０…特有情報検出部、４１…ネットワークストレージ、４２…リスト生成・送出部、４３…データ受信部、１０６１…映像信号切り換えスイッチ、１０６２…音声信号切り換えスイッチ、１１２１…映像信号圧縮回路、１１２２…音声信号圧縮回路、１１２３…システムエンコーダ、１２６…バッファ制御回路、１２６１…記録用バッファ、１２６２…再生用バッファ、１２１１…記録媒体、１２１２…記録媒体、１２７１…システムデコーダ、１２７２…映像信号伸張回路、１２７３…音声信号伸張回路、１２８３…映像信号Ｄ／Ａコンバータ、１２８４…音声信号Ｄ／Ａコンバータ。１２４…制御回路、１２８１…グラフィクス回路、１２６３…暗号回路、１２６４…復号回路、１２８２…表示パネル、１２３…ネットワーク接続端子、１２５…リモコン受信素子、１４１…ディジタル放送信号入力端子、１４２…ディジタルチューナ。
【図１】
2010166191.tif 000003
【図２】
2010166191.tif 000004
【図３】
2010166191.tif 000005
【図４】
2010166191.tif 000006
【図５】
2010166191.tif 000007
【図６】
2010166191.tif 000008
【図７】
2010166191.tif 000009
【図８】
2010166191.tif 000010
【図９】
2010166191.tif 000011
【図１０】
2010166191.tif 000012
【図１１】
2010166191.tif 000013
【図１２】
2010166191.tif 000014
【図１３】
2010166191.tif 000015
【図１４】
2010166191.tif 000016
【図１５】
2010166191.tif 000017
【図１６】
2010166191.tif 000018
【図１７】
2010166191.tif 000019
【図１８】
2010166191.tif 000020
【図１９】
2010166191.tif 000021
【図２０】
2010166191.tif 000022